(57)【要約】【課題】エルボー継手におけるガタつきの発生を防止することができる電気掃除機用吸込具を提供する。【解決手段】吸込口を有するケース部と、ケース部に対して傾動が可能にかつ前記傾動の軸に対する直交軸について回動自在に接続されたエルボー継手と、を具備した電気掃除機用吸込具において、エルボー継手は、略円筒状の吸込側回動接続部を有する吸込側接続部品と、上方側にストッパー取付孔が設けられた略円筒状のパイプ側回動接続部を有するパイプ側接続部品と、パイプ側接続部品の上面側を覆うカバー部品と、から構成され、ストッパー取付孔に挿入され、吸込側回動接続部及びパイプ側回動接続部の両者に係合して、前記両者の嵌合が外れることを規制するストッパーと、カバー部品に設けられ、ストッパー取付孔の周縁とストッパーとの間に形成された空隙にその先端部が挿入されるストッパー受圧軽減リブと、を備える。【選択図】図９
2013031559.tif 000002
【特許請求の範囲】
【請求項１】
底面に吸込口が設けられたケース部と、前記ケース部の後部に前記ケース部に対して上下方向に傾動が可能に接続され、かつ、前記傾動の軸に対して直交する軸を中心にして回動自在な構造を有するエルボー継手と、を具備した電気掃除機用吸込具であって、
前記エルボー継手は、前記ケース部に傾動可能に接続され略円筒状の吸込側回動接続部を有する吸込側接続部品と、前記吸込側回動接続部と回動自在に嵌合され少なくとも上方側にストッパー取付孔が設けられた略円筒状のパイプ側回動接続部を有するパイプ側接続部品と、前記パイプ側接続部品の上面側を覆うカバー部品と、から構成され、
前記ストッパー取付孔に挿入され、前記吸込側回動接続部及び前記パイプ側回動接続部の両者に係合して、前記両者の嵌合が外れることを規制するストッパーと、
前記カバー部品に設けられ、前記ストッパー取付孔の周縁と前記ストッパーとの間に形成された空隙にその先端部が挿入されるストッパー受圧軽減リブと、を備えたことを特徴とする電気掃除機用吸込具。
【請求項２】
前記ストッパーは、断面が略矩形状を呈し、
前記ストッパー取付孔は、周縁の少なくとも一部に斜面が形成され、断面が略台形状を呈し、
前記ストッパー受圧軽減リブの先端の２つの面が、前記ストッパーの一面と、前記ストッパー取付孔の前記斜面とにそれぞれ対向して、前記空隙に係合することを特徴とする請求項１に記載の電気掃除機用吸込具。
【発明の詳細な説明】
【技術分野】
【０００１】
この発明は、電気掃除機用吸込具に関するものである。
【背景技術】
【０００２】
従来における電気掃除機用吸込具においては、底面に吸込口を有するケース部と吸引パイプとを接続するエルボー継手を備えたものが知られている（例えば、特許文献１参照）。このエルボー継手は、ケース部に対して上下方向に所定の角度で傾動が可能に取り付けられるとともに、さらに、前記傾動の軸に対して直交する軸を中心にして回動自在な構造を有している。
【０００３】
このような従来のエルボー継手における、傾動軸に対して直交する軸を中心として回動自在な構造について、図６及び図１８から図２０を参照しながら説明する。エルボー継手７は、吸込側接続部品８、パイプ側接続部品９及びカバー部品１０により構成されている。そして、吸込側接続部品８の吸込側回動接続部８ｂと、パイプ側回動接続部９ａのパイプ側回動接続部９ａとが嵌合され相対的に回動することによって、エルボー継手７における傾動軸に対して直交する軸を中心とした回動動作が実現される。
【０００４】
この吸込側接続部品８の吸込側回動接続部８ｂと、パイプ側回動接続部９ａのパイプ側回動接続部９ａとの回動可能な嵌合構造について説明する。まず、パイプ側接続部品９のパイプ側回動接続部９ａには、上側ストッパー取付孔９ｃ及び下側ストッパー取付孔９ｄが穿設されている。そして、吸込側回動接続部８ｂとパイプ側回動接続部９ａとを嵌合した際に、これらの上側ストッパー取付孔９ｃ及び下側ストッパー取付孔９ｄに対向する吸込側回動接続部８ｂの周囲には、浅い溝が設けられている。
【０００５】
吸込側回動接続部８ｂとパイプ側回動接続部９ａとを嵌合した状態で、ストッパー部品１１を上側ストッパー取付孔９ｃ及び下側ストッパー取付孔９ｄに、それぞれ挿入すると、各ストッパー部品１１が、上側ストッパー取付孔９ｃ及び下側ストッパー取付孔９ｄと、吸込側回動接続部８ｂの浅溝とに係合して、吸込側回動接続部８ｂとパイプ側回動接続部９ａとが回動可能に嵌合した状態で外れなくなる。
【０００６】
そして、カバー部品１０の略中央に穿設された貫通孔１０ａに通したネジを、パイプ側接続部品９の上部に設けられたネジ穴９ｅに螺着することにより、カバー部品１０がパイプ側接続部品９に取り付けられている。
【先行技術文献】
【特許文献】
【０００７】
【特許文献１】特開２０１１−０１０９２７号公報
【発明の概要】
【発明が解決しようとする課題】
【０００８】
しかしながら、このような従来におけるエルボー継手を備えた電気掃除機用吸込具においては、パイプ側接続部品９のネジ穴９ｅと上側ストッパー取付孔９ｃとを１つの型で成型する都合上、上側ストッパー取付孔９ｃの断面は略台形状となり斜面部９ｆが形成される。これに対し、ストッパー部品１１の断面は略矩形状であるため、ストッパー部品１１を上側ストッパー取付孔９ｃに挿入した際に斜面部９ｆの部分に断面略三角形状の空隙が生じる。
【０００９】
このため、吸込具本体１のエルボー継手７においては、回動軸に沿った方向に力が加わった際には、主にストッパー部品１１と上側ストッパー取付孔９ｃ及び下側ストッパー取付孔９ｄの端面並びに吸込側回動接続部８ｂの浅溝部とに圧力がかかることになる。そして、特に、上側ストッパー取付孔９ｃの部分には斜面部９ｆが存在するため、この斜面部９ｆの先端に大きな圧力がかかり斜面部９ｆの先端が摩耗等しやすく、吸込側回動接続部８ｂとパイプ側回動接続部９ａとの嵌合構造においてガタつきが発生してしまうという課題がある。
【００１０】
この発明は、このような課題を解決するためになされたもので、簡潔な構成で、エルボー継手におけるガタつきの発生を防止することができる電気掃除機用吸込具を得るものである。
【課題を解決するための手段】
【００１１】
この発明に係る電気掃除機用吸込具においては、底面に吸込口が設けられたケース部と、前記ケース部の後部に前記ケース部に対して上下方向に傾動が可能に接続され、かつ、前記傾動の軸に対して直交する軸を中心にして回動自在な構造を有するエルボー継手と、を具備した電気掃除機用吸込具であって、前記エルボー継手は、前記ケース部に傾動可能に接続され略円筒状の吸込側回動接続部を有する吸込側接続部品と、前記吸込側回動接続部と回動自在に嵌合され少なくとも上方側にストッパー取付孔が設けられた略円筒状のパイプ側回動接続部を有するパイプ側接続部品と、前記パイプ側接続部品の上面側を覆うカバー部品と、から構成され、前記ストッパー取付孔に挿入され、前記吸込側回動接続部及び前記パイプ側回動接続部の両者に係合して、前記両者の嵌合が外れることを規制するストッパーと、前記カバー部品に設けられ、前記ストッパー取付孔の周縁と前記ストッパーとの間に形成された空隙にその先端部が挿入されるストッパー受圧軽減リブと、を備えた構成とする。
【発明の効果】
【００１２】
この発明に係る電気掃除機用吸込具においては、簡潔な構成で、エルボー継手におけるガタつきの発生を防止することができるという効果を奏する。
【図面の簡単な説明】
【００１３】
【図１】この発明の実施の形態１に係る電気掃除機の全体構成を示す図である。
【図２】この発明の実施の形態１に係る吸込具本体の斜視図である。
【図３】この発明の実施の形態１に係る吸込具本体の側面図である。
【図４】この発明の実施の形態１に係る吸込具本体の側面断面図である。
【図５】この発明の実施の形態１に係る図４中のＡ部の拡大図である。
【図６】この発明の実施の形態１に係る吸込具本体が備えるエルボー継手の斜視図である。
【図７】この発明の実施の形態１に係る吸込具本体が備えるエルボー継手の断面斜視図である。
【図８】この発明の実施の形態１に係る図７中のＢ部の拡大図である。
【図９】この発明の実施の形態１に係る図７の視点を変更した斜視図である。
【図１０】この発明の実施の形態１に係るエルボー継手の吸込側接続部品の斜視図である。
【図１１】この発明の実施の形態１に係るエルボー継手の上カバー部品の斜視図である。
【図１２】この発明の実施の形態１に係る上カバー部品の裏側を示す斜視図である。
【図１３】この発明の実施の形態１に係る上カバー部品の断面図である。
【図１４】この発明の実施の形態１に係るエルボー継手のパイプ側接続部品の斜視図である。
【図１５】この発明の実施の形態１に係るパイプ側接続部品の断面図である。
【図１６】この発明の実施の形態１に係る図１５中のＣ部の拡大図である。
【図１７】この発明の実施の形態１に係るエルボー継手のストッパー部品の斜視図である。
【図１８】従来における吸込具本体が備えるエルボー継手の断面斜視図である。
【図１９】従来における吸込具本体が備えるエルボー継手の要部を拡大した断面斜視図である。
【図２０】従来における吸込具本体が備えるエルボー継手の要部を拡大した断面図である。
【発明を実施するための形態】
【００１４】
この発明を添付の図面に従い説明する。各図を通じて同符号は同一部分又は相当部分を示しており、その重複説明は適宜に簡略化又は省略する。
【００１５】
実施の形態１．
図１から図１７は、この発明の実施の形態１に係るもので、図１は電気掃除機の全体構成を示す図、図２は吸込具本体の斜視図、図３は吸込具本体の側面図、図４は吸込具本体の側面断面図、図５は図４中のＡ部の拡大図、図６は吸込具本体が備えるエルボー継手の斜視図、図７は吸込具本体が備えるエルボー継手の断面斜視図、図８は図７中のＢ部の拡大図、図９は図７の視点を変更した斜視図、図１０はエルボー継手の吸込側接続部品の斜視図、図１１はエルボー継手の上カバー部品の斜視図、図１２は上カバー部品の裏側を示す斜視図、図１３は上カバー部品の断面図、図１４はエルボー継手のパイプ側接続部品の斜視図、図１５はパイプ側接続部品の断面図、図１６は図１５中のＣ部の拡大図、図１７はエルボー継手のストッパー部品の斜視図である。
【００１６】
図１において、１は、吸込具本体である。この吸込具本体１の底面には、床面等の被清掃面上のごみや塵埃を含んだ空気（含塵空気）を吸い込むための吸込口１ａが設けられている。吸込具本体１には、中空円筒状の吸引パイプ２の一端が接続されている。そして、この吸引パイプ２の他端には、可撓性を有する蛇腹状のホース３の一端が、中途で折曲された形状の接続パイプを介して接続されている。
【００１７】
このホース３の他端は、掃除機本体４に接続されている。掃除機本体４内には、掃除機本体４の外部から内部に流入した含塵空気中のごみ（塵埃）を捕捉して集める集塵部４ａが設けられている。そして、吸込具本体１の吸込口１ａから掃除機本体４の集塵部４ａまでが、吸引パイプ２及びホース３を経由して連通され、吸込具本体１、吸引パイプ２及びホース３は、含塵空気を掃除機本体４の外部から内部に流入させるための吸引経路を構成している。
【００１８】
また、掃除機本体４には、電動送風機４ｂが内蔵されている。この電動送風機４ｂは、吸込具本体１の吸込口１ａから吸引パイプ２及びホース３を経由して掃除機本体４の集塵部４ａへと含塵空気を吸引する吸引動作を駆動するためのものである。なお、吸引パイプ２の他端側には、掃除機本体４の運転を制御する操作スイッチが配置された把持部５が設けられている。電気掃除機の使用者は、使用時においてこの把持部５を持つことにより掃除機本体４を引き回す。
【００１９】
図２及び図３は吸込具本体１の外観を示すものであり、図４は吸込具本体１の断面図である。吸込具本体１は、底面に吸込口１ａが設けられたケース部６と、このケース部６の後部に接続されたエルボー継手７と、を有している。ケース部６の内部の前方側寄りには、被清掃面上の塵埃を掻き取るための回転ブラシ６ａが、吸込口１ａを臨むようにして回転可能に設けられている。
【００２０】
また、吸込具本体１は、エルボー継手７を介して吸引パイプ２に着脱自在に接続される。このエルボー継手７は、ケース部に対して上下方向に所定の角度で傾動が可能に取り付けられるとともに、さらに、前記傾動の軸に対して直交する軸を中心にして回動自在な構造を有している。
【００２１】
このエルボー継手７は、吸込側接続部品８、パイプ側接続部品９及びカバー部品１０により構成されている。吸込側接続部品８を図１０に示す。吸込側接続部品８は、一端に傾動接続部８ａが設けられており、この傾動接続部８ａがケース部６に対して傾動可能に取り付けられる。そして、吸込側接続部品８の他端には略円筒状の吸込側回動接続部８ｂが設けられている。
【００２２】
パイプ側接続部品９は、図１４及び図１５に示すように、一端に、吸込側接続部品８の吸込側回動接続部８ｂと嵌合される略円筒状のパイプ側回動接続部９ａが設けられ、他端には吸引パイプ２と着脱自在に接続されるパイプ接続部９ｂが設けられている。吸込側接続部品８の吸込側回動接続部８ｂと、パイプ側回動接続部９ａのパイプ側回動接続部９ａとが相対的に回動することによって、エルボー継手７における傾動軸に対して直交する軸を中心とした回動動作が実現される。
【００２３】
この吸込側接続部品８の吸込側回動接続部８ｂと、パイプ側回動接続部９ａのパイプ側回動接続部９ａとの回動可能な嵌合構造について説明する。まず、パイプ側接続部品９のパイプ側回動接続部９ａには、上側ストッパー取付孔９ｃ及び下側ストッパー取付孔９ｄが穿設されている。そして、吸込側回動接続部８ｂとパイプ側回動接続部９ａとを嵌合した際に、これらの上側ストッパー取付孔９ｃ及び下側ストッパー取付孔９ｄに対向する吸込側回動接続部８ｂの周囲には、浅い溝が設けられている。
【００２４】
吸込側回動接続部８ｂとパイプ側回動接続部９ａとを嵌合した状態で、図１７に示すストッパー部品１１が、上側ストッパー取付孔９ｃ及び下側ストッパー取付孔９ｄに、それぞれ挿入される。各ストッパー部品１１は、上側ストッパー取付孔９ｃ及び下側ストッパー取付孔９ｄと、吸込側回動接続部８ｂの浅溝とに係合して、吸込側回動接続部８ｂとパイプ側回動接続部９ａとが回動可能に嵌合した状態から外れることを規制する。
【００２５】
このようにして吸込側接続部品８とパイプ側接続部品９とがストッパー部品１１を用いて回動自在に組み合わされた状態で、さらに、図１１から図１３に示すカバー部品１０がパイプ側接続部品９の上面側に取り付けられて図６に示すようなエルボー継手７の状態になる。このカバー部品１０のパイプ側接続部品９への取り付けは、カバー部品１０の略中央に穿設された貫通孔１０ａに通したネジを、パイプ側接続部品９の上部に設けられたネジ穴９ｅに螺着することにより行われる。
【００２６】
ここで、図１６に示すように、パイプ側接続部品９のネジ穴９ｅと上側ストッパー取付孔９ｃとを１つの型で成型する都合上、上側ストッパー取付孔９ｃの周縁の一部に斜面部９ｆが形成され、その断面は略台形状となる。これに対し、ストッパー部品１１の断面は略矩形状であるため、ストッパー部品１１を上側ストッパー取付孔９ｃに挿入した際に斜面部９ｆの部分に断面略三角形状の空隙が生じる。
【００２７】
そこで、カバー部品１０には、先端にこの空隙に合わせた形状を有するストッパー受圧軽減リブ１０ｂが突設されており、カバー部品１０をパイプ側接続部品９に取り付けた際に、ストッパー受圧軽減リブ１０ｂの先端の２つの面が、上側ストッパー取付孔９ｃに挿入されたストッパー部品１１の上面と、上側ストッパー取付孔９ｃの斜面部９ｆとにそれぞれ対向して、前記空隙に係合するようになっている（図５、図８、図９参照）。
【００２８】
このように構成された吸込具本体１のエルボー継手７においては、回動軸に沿った方向に力が加わった際には、主にストッパー部品１１と上側ストッパー取付孔９ｃ及び下側ストッパー取付孔９ｄの端面並びに吸込側回動接続部８ｂの浅溝部とに圧力がかかることになる。そして、特に、上側ストッパー取付孔９ｃの部分において、上側ストッパー取付孔９ｃの斜面部９ｆとストッパー部品１１との間に形成される空隙には、ストッパー受圧軽減リブ１０ｂの先端が係合することにより、当該部分に加わる圧力を上側ストッパー取付孔９ｃ及びストッパー部品１１のみならずストッパー受圧軽減リブ１０ｂも分担して受けることとなるため、吸込側回動接続部８ｂとパイプ側回動接続部９ａとの嵌合構造で特に経年劣化により生じるガタつきを抑制することができる。
【符号の説明】
【００２９】
１    吸込具本体
１ａ  吸込口
２    吸引パイプ
３    ホース
４    掃除機本体
４ａ  集塵部
４ｂ  電動送風機
５    把持部
６    ケース部
６ａ  回転ブラシ
７    エルボー継手
８    吸込側接続部品
８ａ  傾動接続部
８ｂ  吸込側回動接続部
９    パイプ側接続部品
９ａ  パイプ側回動接続部
９ｂ  パイプ接続部
９ｃ  上側ストッパー取付孔
９ｄ  下側ストッパー取付孔
９ｅ  ネジ穴
９ｆ  斜面部
１０    カバー部品
１０ａ  貫通孔
１０ｂ  ストッパー受圧軽減リブ
１１    ストッパー部品
【図１】
2013031559.tif 000003
【図２】
2013031559.tif 000004
【図３】
2013031559.tif 000005
【図４】
2013031559.tif 000006
【図５】
2013031559.tif 000007
【図６】
2013031559.tif 000008
【図７】
2013031559.tif 000009
【図８】
2013031559.tif 000010
【図９】
2013031559.tif 000011
【図１０】
2013031559.tif 000012
【図１１】
2013031559.tif 000013
【図１２】
2013031559.tif 000014
【図１３】
2013031559.tif 000015
【図１４】
2013031559.tif 000016
【図１５】
2013031559.tif 000017
【図１６】
2013031559.tif 000018
【図１７】
2013031559.tif 000019
【図１８】
2013031559.tif 000020
【図１９】
2013031559.tif 000021
【図２０】
2013031559.tif 000022